(57)【特許請求の範囲】
【請求項１】
建物（７）の周囲に足場（８）を組み、該足場（８）の端部に設けられた足場鋼管（１）には延長パイプ（６）のない連結具（Ａ）を固定し、前記足場（８）の中間部に設けられた足場鋼管（１）には延長パイプ（６）を有する連結具（Ａ）を固定し、前記足場（８）の端部に設けられた足場鋼管（１）に取り付けられた延長パイプのない連結具（Ａ）の環状部材（４）にはカラビナ（５）を介して親綱（２）の端部が締結されており、前記足場（８）の中間部に設けられた足場鋼管（１）に取り付けられた連結具（Ａ）の前記延長パイプ（６）の端部に設けられた環状部材（４）には親綱（２）が挿通され、前記連結具（Ａ）により張架された親綱（２）に作業者の安全帯を掛けるように構成したことを特徴とする足場。
【発明の詳細な説明】
【０００１】
【発明の属する技術分野】
本発明は、建物の周囲に組まれる足場に関するものである。
【０００２】
【従来の技術】
従来、建設現場での墜転落事故を防止するために、建設中の建物の周囲に配置された高所の作業床上での作業時に安全帯を足場の手摺り等に架けたり、図６に示すように、足場鋼管１等の支持部材に親綱２等を締結し、この親綱２等に作業者が身につけた安全帯を架けて作業を行なっている。
【０００３】
【発明が解決しようとする課題】
しかしながら、前述の従来例において、高所の作業床上での作業時に安全帯を足場の手摺り等に架ける場合は足場の手摺りは建て地により１．８ｍ程度のスパンで区切られているため作業箇所が移動する都度、安全帯を架け直す必要があるため煩わしいという問題があった。
【０００４】
また、図６に示した従来例では足場鋼管１に締結した親綱２等の固定部が事故発生時に動いてしまうため安全上に問題があった。また、親綱２等が作業動線上に重なってしまうため煩わしく、作業性が悪いという問題がある。
【０００５】
本発明は前記課題を解決するものであり、その目的とするところは、ロープや綱或いはワイヤ等の線条部材を支持部材に簡単に且つ確実に固定出来、その固定部が動くことが無く、例えば、建設現場で利用した場合には安全帯の架け替えを頻繁に行なう必要がなく、作業動線と線条部材との位置をずらして作業性を向上することが出来る足場を提供せんとするものである。
【０００６】
【課題を解決するための手段】
前記目的を達成するための本発明に係る足場は、建物（７）の周囲に足場（８）を組み、該足場（８）の端部に設けられた足場鋼管（１）には延長パイプ（６）のない連結具（Ａ）を固定し、前記足場（８）の中間部に設けられた足場鋼管（１）には延長パイプ（６）を有する連結具（Ａ）を固定し、前記足場（８）の端部に設けられた足場鋼管（１）に取り付けられた延長パイプのない連結具（Ａ）の環状部材（４）にはカラビナ（５）を介して親綱（２）の端部が締結されており、前記足場（８）の中間部に設けられた足場鋼管（１）に取り付けられた連結具（Ａ）の前記延長パイプ（６）の端部に設けられた環状部材（４）には親綱（２）が挿通され、前記連結具（Ａ）により張架された親綱（２）に作業者の安全帯を掛けるように構成したことを特徴とする。
【０００７】
本発明は、上述の如く構成したので、連結具（Ａ）により親綱（２）を足場鋼管（１）に締結した固定部が動くことが無いため事故発生時でも安全である。また、連結具（Ａ）の配置位置を足場（８）の中間部に設けられた足場鋼管（１）に遮られることなく所望の位置に配置することが出来るので、親綱（２）に安全帯を架ける範囲を大きくすることが出来、これにより作業時の移動範囲が広がり、安全帯の架け替えを頻繁に行なう必要がなく作業効率が向上し、作業時間の短縮が図れる。
【０００８】
足場（８）の中間部に設けられた足場鋼管（１）に延長パイプ（６）を有する連結具（Ａ）を取り付けたことで親綱（２）が作業動線からずれた位置にあるため足場（８）での作業性が向上する。
【０００９】
また、環状部材（４）にカラビナ（５）を介して親綱（２）を締結することで親綱（２）を傷つけることがない。また、カラビナ（５）を用いることで親綱（２）の環状部材（４）への着脱が容易である。
【００１０】
また、従来は建物（７）に直接に親綱（２）を固定するための治具を取り付けていたため建物（７）の工事が進む都度にその治具を取り外す手間があったが、本発明によれば、建設中の建物（７）に親綱（２）を固定するための治具を接続する必要がないので建物（７）の建て方に影響することがなく、作業効率が向上し、作業時間の短縮が図れる。
【００１１】
【発明の実施の形態】
図により本発明に係る足場の一実施形態を具体的に説明する。図１は本発明に係る足場に使用される連結具のクランプ部材を支持部材に装着し、更に環状部材に線条部材を締結した様子を示す斜視説明図、図２（ａ）は本発明に係る足場に使用される連結具の第１の構成を示す斜視説明図、図２（ｂ）は本発明に係る足場に使用される連結具の第２の構成を示す斜視説明図、図３（ａ），（ｂ）は本発明に係る足場に使用される連結具の第１の構成を示す平面図及び正面図、図４（ａ），（ｂ）は本発明に係る足場に使用される連結具の第２の構成を示す平面図及び正面図、図５は建設現場の足場に設けられた支持部材に連結具を装着して線条部材を張架した様子を示す図である。
【００１２】
図１において、１は建設現場において、図５に示すように建設中の建物の周囲に配置された高所の足場８に設けられた支持部材となる足場鋼管１であり、該足場鋼管１に連結具Ａのクランプ部材３が装着され、該クランプ部材３に設けられたボルト部３ａ（図３参照）に環状部材４のナット部４ａが螺合締着され、更に環状部材４に連結部材となるカラビナ５を介して線条部材となる親綱２等の端部が締結されている。尚、線条部材としてはロープやワイヤ等を適用することも出来る。
【００１３】
第１の連結具Ａは、図２（ａ）及び図３に示すように、クランプ部材３は環状部材４が取り付けられる側の基部３ｂとクランプ部３ｃとが軸３ｄを中心に回動自在に連結されており、更に基部３ｂには軸３ｅを中心に回動自在なボルト部材３ｆが設けられている。
【００１４】
そして、ボルト部材３ｆに螺合されたナット３ｇを緩めてクランプ部３ｃの係合溝３ｈからボルト部材３ｆを脱離し、クランプ部３ｃを開放した状態で足場鋼管１の所望の位置にクランプ部材３をセットし、クランプ部３ｃを閉鎖して該クランプ部３ｃと基部３ｂとによりクランプし、ボルト部材３ｆをクランプ部３ｃに形成された係合溝３ｈに挿入した後、ナット３ｇをボルト部材３ｆに螺合締着することでクランプ部材３を足場鋼管１に固定する。
【００１５】
図２（ａ）及び図３に示す第１の構成では、クランプ部材３の基部３ｂにボルト部３ａが溶接等により一体的に固定されており、該ボルト部３ａに環状部材４のナット部４ａが螺合締着されてクランプ部材３と環状部材４とが固定されている。クランプ部材３のボルト部３ａと環状部材４のナット部４ａとを螺合締着した後はクランプ部材３と環状部材４との接合部を溶接等により一体的に固定しても良い。尚、環状部材４としてはＩナットと称する広く市販された部材を用いることが出来る。
【００１６】
線条部材となる親綱２等は、図１に示すように、その端部が環状部２ａとして形成されており、カラビナ５を介して該環状部２ａと環状部材４とが締結されている。カラビナ５の一例としては、基部５ａと、軸５ｂを介して回動可能に設けられた回動部５ｃとを有し、回動部５ｃを回動して親綱２等の環状部２ａ及び環状部材４に基部５ａを挿通した後、回動部５ｃの自由端部に回転可能に挿通して係止されたネジ部を有する安全リング５ｄを基部５ａの端部に形成されたボルト部に螺合締着することで環状部材４と親綱２等の環状部２ａとを確実に締結することが出来る。
【００１７】
一方、図２（ｂ）及び図４に示す第２の構成では、クランプ部材３の基部３ｂに延長部材となる延長パイプ６が溶接等により一体的に固定されており、更に該延長パイプ６の他端部には該延長パイプ６の端部に溶接等により固定されたフランジ部材６ｂにボルト部６ａが溶接等により一体的に固定されている。
【００１８】
そして、ボルト部６ａに環状部材４のナット部４ａが螺合締着されて、延長パイプ６を介在してクランプ部材３と環状部材４とが固定されている。延長パイプ６のボルト部６ａと環状部材４のナット部４ａとを螺合締着した後は延長パイプ６と環状部材４との接合部を溶接等により一体的に固定しても良い。
【００１９】
図５は建設中の建物７の周囲に足場８を組み、該足場８に設けられた足場鋼管１に連結具Ａのクランプ部材３を取り付け、該連結具Ａの環状部材４に親綱２等を締結した様子を示す図である。
【００２０】
図５において、足場８の端部に設けられた足場鋼管１には図１、図２（ａ）及び図３に示した連結具Ａを固定し、足場８の中間部に設けられた足場鋼管１には図２（ｂ）及び図４に示した延長パイプ６を有する連結具Ａを固定したものである。
【００２１】
足場８の端部に設けられた足場鋼管１に取り付けられた連結具Ａの環状部材４にはカラビナ５を介して親綱２等の端部が締結されており、足場８の中間部に設けられた足場鋼管１に取り付けられた連結具Ａの環状部材４には親綱２等が挿通されている。そして、連結具Ａにより張架された親綱２等に作業者の安全帯を掛ける。
【００２２】
上記構成によれば、連結具Ａにより親綱２等を足場鋼管１に締結した固定部が動くことが無いため事故発生時でも安全である。また、連結具Ａの配置位置を足場８の中間部に設けられた足場鋼管１に遮られることなく所望の位置に配置することが出来るので、親綱２等に安全帯を架ける範囲を大きくすることが出来、これにより作業時の移動範囲が広がり、安全帯の架け替えを頻繁に行なう必要がなく作業効率が向上し、作業時間の短縮が図れる。
【００２３】
足場８の中間部に設けられた足場鋼管１に延長パイプ６を有する連結具Ａを取り付けたことで親綱２等が作業動線からずれた位置にあるため足場８での作業性が向上する。
【００２４】
また、クランプ部材３により足場鋼管１への着脱が容易に出来る。また、Ｉ（アイ）ナットからなる環状部材４にカラビナ５を介して親綱２等を締結することで親綱２等を傷つけることがない。また、カラビナ５を用いることで親綱２等の環状部材４への着脱が容易である。
【００２５】
また、従来は建物７に直接に親綱２等を固定するための治具を取り付けていたため建物７の工事が進む都度にその治具を取り外す手間があったが、本発明によれば、建設中の建物７に親綱２等を固定するための治具を接続する必要がないので建物７の建て方に影響することがなく、作業効率が向上し、作業時間の短縮が図れる。
【００２６】
また、クランプ部材３の大きさを適宜変更して足場鋼管１以外の支持部材にも連結具Ａを固定することが出来る。
【００２７】
【発明の効果】
本発明は、上述の如き構成と作用とを有するので、連結具（Ａ）により親綱（２）を足場鋼管（１）に締結した固定部が動くことが無いため事故発生時でも安全である。また、連結具（Ａ）の配置位置を足場（８）の中間部に設けられた足場鋼管（１）に遮られることなく所望の位置に配置することが出来るので、親綱（２）に安全帯を架ける範囲を大きくすることが出来、これにより作業時の移動範囲が広がり、安全帯の架け替えを頻繁に行なう必要がなく作業効率が向上し、作業時間の短縮が図れる。
【００２８】
足場（８）の中間部に設けられた足場鋼管（１）に延長パイプ（６）を有する連結具（Ａ）を取り付けたことで親綱（２）が作業動線からずれた位置にあるため足場（８）での作業性が向上する。
【００２９】
また、環状部材（４）にカラビナ（５）を介して親綱（２）を締結することで親綱（２）を傷つけることがない。また、カラビナ（５）を用いることで親綱（２）の環状部材（４）への着脱が容易である。
【００３０】
また、従来は建物（７）に直接に親綱（２）を固定するための治具を取り付けていたため建物（７）の工事が進む都度にその治具を取り外す手間があったが、本発明によれば、建設中の建物（７）に親綱（２）を固定するための治具を接続する必要がないので建物（７）の建て方に影響することがなく、作業効率が向上し、作業時間の短縮が図れる。
【図面の簡単な説明】
【図１】  本発明に係る足場に使用される連結具のクランプ部材を支持部材に装着し、更に環状部材に線条部材を締結した様子を示す斜視説明図である。
【図２】  （ａ）は本発明に係る足場に使用される連結具の第１の構成を示す斜視説明図、（ｂ）は本発明に係る足場に使用される連結具の第２の構成を示す斜視説明図である。
【図３】  （ａ），（ｂ）は本発明に係る足場に使用される連結具の第１の構成を示す平面図及び正面図である。
【図４】  （ａ），（ｂ）は本発明に係る足場に使用される連結具の第２の構成を示す平面図及び正面図である。
【図５】  建設現場の足場に設けられた支持部材に連結具を装着して線条部材を張架した様子を示す図である。
【図６】  従来例を説明する図である。
【符号の説明】
Ａ…連結具
１…足場鋼管
２…親綱
２ａ…環状部
３…クランプ部材
３ａ…ボルト部
３ｂ…基部
３ｃ…クランプ部
３ｄ…軸
３ｅ…軸
３ｆ…ボルト部材
３ｇ…ナット
３ｈ…係合溝
４…環状部材
４ａ…ナット部
５…カラビナ
５ａ…基部
５ｂ…軸
６…延長パイプ
６ａ…ボルト部
６ｂ…フランジ部材
７…建物
８…足場
【図１】
0003922918.tif 000002
【図２】
0003922918.tif 000003
【図３】
0003922918.tif 000004
【図４】
0003922918.tif 000005
【図５】
0003922918.tif 000006
【図６】
0003922918.tif 000007